(57)【特許請求の範囲】
【請求項１】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとに設けるハンドオーバパラメータ調整装置であり、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、を用いて、
ハンドオーバ失敗を少なくするための前記閾値の調整方向を示す閾値調整重みを計算する閾値調整重み計算部と、
前記閾値調整重みに基づいて前記閾値を決定する閾値決定部と、
を備えたことを特徴とするハンドオーバパラメータ調整装置。
【請求項２】
前記第１のハンドオーバ失敗事象は、「Too Early HO」、及び、隣接セルを「Target Cell」とした「HO to Wrong Cell」であり、
前記第２のハンドオーバ失敗事象は、「Too Late HO」、及び、隣接セルを「Reconnection Cell」とした「HO to Wrong Cell」である、
ことを特徴とする請求項１に記載のハンドオーバパラメータ調整装置。
【請求項３】
前記第１のハンドオーバ失敗事象は、「Too Early HO」、隣接セルを「Target Cell」とした「HO to Wrong Cell」、及び、「ピンポン・ハンドオーバ」であり、
前記第２のハンドオーバ失敗事象は、「Too Late HO」、及び、隣接セルを「Reconnection Cell」とした「HO to Wrong Cell」である、
ことを特徴とする請求項１に記載のハンドオーバパラメータ調整装置。
【請求項４】
前記第１又は第２のハンドオーバ失敗事象の発生回数に対してハンドオーバ失敗事象毎に重み係数を乗じ、前記閾値調整重みの計算を行う、
ことを特徴とする請求項２又は３に記載のハンドオーバパラメータ調整装置。
【請求項５】
前記閾値調整重み計算部は、
前記第１のハンドオーバ失敗事象に関する閾値の調整方向別の第１の重みと、
前記第２のハンドオーバ失敗事象に関する閾値の調整方向別の第２の重みと、を隣接セルごとに計算し、
全ての隣接セルを対象にした前記閾値の調整方向の組合せごとに、全ての隣接セルの前記第１の重みと前記第２の重みを総合し、
全ての隣接セルを対象にした前記閾値の調整方向の組合せの中から、前記総合結果の重み付けが最大となる組合せを選択する、
ことを特徴とする請求項１から４のいずれか１項に記載のハンドオーバパラメータ調整装置。
【請求項６】
ハンドオーバ失敗率が大きい隣接セルから順番に前記閾値を調整してゆき、
前記閾値調整重み計算部は、
第１の隣接セルと「HO to Wrong Cell」のペアとなる第２の隣接セルに関し、
前記第１の隣接セルの閾値の調整方向に応じた「HO to Wrong Cell」に関する調整規則に従って、前記第２の隣接セルの閾値調整重みを計算する、
ことを特徴とする請求項２から４のいずれか１項に記載のハンドオーバパラメータ調整装置。
【請求項７】
前記閾値調整重み計算部は、
前記第２のハンドオーバ失敗事象のうち、隣接セルを「Reconnection Cell」とした「HO to Wrong Cell」の発生回数を０として閾値調整重みを計算する、
ことを特徴とする請求項１から６のいずれか１項に記載のハンドオーバパラメータ調整装置。
【請求項８】
前記閾値決定部は、前記閾値調整重みが閾値を大きくする調整方向である場合にのみ、ピンポン・ハンドオーバを少なくするための閾値更新を行う、
ことを特徴とする請求項１から４のいずれか１項に記載のハンドオーバパラメータ調整装置。
【請求項９】
ピンポン・ハンドオーバ発生回数が大きい隣接セルから順番に、ピンポン・ハンドオーバを少なくするための閾値を調整してゆき、
前記閾値調整重み計算部は、
第１の隣接セルと「HO to Wrong Cell」のペアとなる第２の隣接セルに関し、
前記第１の隣接セルの閾値の調整方向に応じた「HO to Wrong Cell」に関する調整規則に従って、前記第２の隣接セルの閾値調整重みを計算する、
ことを特徴とする請求項８に記載のハンドオーバパラメータ調整装置。
【請求項１０】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する方法であり、
閾値調整重み計算部が、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、を用いて、
ハンドオーバ失敗を少なくするための前記閾値の調整方向を示す閾値調整重みを計算するステップと、
閾値決定部が、前記閾値調整重みに基づいて前記閾値を決定するステップと、
を含むことを特徴とするハンドオーバパラメータ調整方法。
【請求項１１】
移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する処理を行うためのコンピュータプログラムであって、
前記閾値を大きくするとハンドオーバ失敗が少なくなる第１のハンドオーバ失敗事象の発生回数と、
前記閾値を小さくするとハンドオーバ失敗が少なくなる第２のハンドオーバ失敗事象の発生回数と、を用いて、
ハンドオーバ失敗を少なくするための前記閾値の調整方向を示す閾値調整重みを計算するステップと、
前記閾値調整重みに基づいて前記閾値を決定するステップと、
をコンピュータに実行させるためのコンピュータプログラム。
【発明の詳細な説明】
【技術分野】
【０００１】
本発明は、ハンドオーバパラメータ調整装置、ハンドオーバパラメータ調整方法およびコンピュータプログラムに関する。
【背景技術】
【０００２】
近年、標準化団体の３ＧＰＰ（3rd Generation Partnership Project）において、ＬＴＥ（Long Term Evolution）システムと呼ばれるセルラシステムの標準化作業が進められている。ＬＴＥシステムにおいて、移動端末が接続する基地局（以下、接続基地局と称する）を切り替えるためのハンドオーバ処理は、移動端末から送信される測定報告（Measurement Report：ＭＲ）メッセージ（以下、ＭＲと称する）を接続基地局が受信したことを契機に実行される。ここで、移動端末がＭＲを送信するタイミングは、接続基地局が移動端末に設定するＭＲパラメータによって調節することができる。従って、移動端末がハンドオーバするタイミングは、ＭＲパラメータによって調節することができる。
【０００３】
ＭＲは送信契機の違いにより複数の種類が定義されているが、Ａ３ＭＲと呼ばれるＭＲが一般的にハンドオーバ処理で使用される。式（１）が満たされるときに、移動端末から接続基地局ｓへ、接続基地局ｓに隣接する基地局（以下、隣接基地局と称する）ｎに関するＡ３ＭＲが送信される（非特許文献１参照）。
【０００４】
【数１】
0005277261.tif 000002
【０００５】
但し、ｓは接続基地局の識別子（ＩＤ）、ｎは隣接基地局のＩＤである。Ｍ（ｓ，ｎ）は、移動端末が接続基地局ｓの隣接基地局ｎから送信された参照信号を受信したときの受信電力（Reference Signal Received Power：ＲＳＲＰ）［ｄＢｍ］又は受信品質（Reference Signal Received Quality：ＲＳＲＱ）［ｄＢ］である。Ｍ（ｓ，ｓ）は、移動端末が接続基地局ｓから送信された参照信号を受信したときのＲＳＲＰ［ｄＢｍ］又はＲＳＲＱ［ｄＢ］である。
【０００６】
Ｏｆ（ｓ，ｎ）は、接続基地局ｓが周波数帯の違いに基づいて設定する隣接基地局ｎに関するオフセット値である。Ｏｆ（ｓ，ｓ）は、接続基地局ｓが周波数帯の違いに基づいて設定する自基地局ｓに関するオフセット値である。Ｏｃ（ｓ，ｎ）は、接続基地局ｓが隣接基地局ｎごとに設定するオフセット値である。Ｏｃ（ｓ，ｓ）は、接続基地局ｓが設定する自基地局ｓに関するオフセット値である。Ｈｙｓ（ｓ）は、接続基地局ｓごとに設定される、ヒステリシスと呼ばれるオフセット値である。ＯｆｆA3（ｓ）は、接続基地局ｓごとに設定される、Ａ３ＭＲ固有のオフセット値である。これらのオフセット値はハンドオーバパラメータである。
【０００７】
上記式（１）は、移動端末が隣接基地局ｎから受信する電力が接続基地局ｓから受信する電力よりも閾値以上大きい電力差を有することが接続基地局ｓのセル（接続セルｓ）から隣接基地局ｎのセル（隣接セルｎ）へハンドオーバする条件（ハンドオーバ実行条件）であるセルラシステムにおいて、該ハンドオーバ実行条件を判定する判定式となる。該電力差の閾値は、式（１）の各オフセット値から構成される。従って、式（１）のオフセット値を変更することによって、接続セルｓから隣接セルｎへのハンドオーバ実行条件である電力差を変えることができる。これにより、移動端末が接続セルｓから隣接セルｎへハンドオーバするタイミングを変更することができる。
【０００８】
移動端末が接続セルから隣接セルへハンドオーバするタイミングを変更することで、ハンドオーバの失敗を低減し、また、不必要なハンドオーバを防止することができる。ハンドオーバの失敗事象は、大きく分けて以下の３つに分類できる（非特許文献２参照）。
【０００９】
（１）「Too Early HO（Hand Over）」
セルＡからセルＢへのハンドオーバ実行途中、もしくはハンドオーバが成功した直後に無線リンク断（Radio Link Failure：ＲＬＦ)が発生し、セルＡに再接続する事象である。「Too Early HO」は、ハンドオーバタイミングが早すぎることが一要因として考えられる。
【００１０】
（２）「Too Late HO」
移動端末がセルＡに接続中、もしくはセルＡからセルＢへのハンドオーバ実行途中にＲＬＦが発生し、セルＡとは異なるセルＢと接続を再確立する事象である。「Too Late HO」は、ハンドオーバタイミングが遅すぎることが一要因として考えられる。
【００１１】
（３）「HO to Wrong Cell」
セルＡからセルＢへのハンドオーバ実行途中、もしくはハンドオーバが成功した直後にＲＬＦが発生し、セルＡ、Ｂとは異なるセルＣと接続を再確立する事象である。セルＢは「Target Cell」と呼ばれ、セルＣは「Reconnection Cell」と呼ばれる。
【００１２】
又、特定の２つの隣接セルの間で一定期間内に一定回数以上ハンドオーバを繰り返す事象は、ピンポン（Ping-Pong）・ハンドオーバと呼ばれる。ピンポン・ハンドオーバは、不必要なハンドオーバであると考えられる。
【００１３】
非特許文献３、４には、ハンドオーバの失敗事象ごとに判定閾値を設け、あるハンドオーバ失敗事象の発生回数（もしくは発生率）が判定閾値を超えた場合に、当該ハンドオーバ失敗事象に応じた調整をハンドオーバパラメータに行う技術が記載されている。
【先行技術文献】
【非特許文献】
【００１４】
【非特許文献１】3GPP, TS 36.331, v9.3.0, 2010-06
【非特許文献２】3GPP, TS 36.300, v9.4.0, 2010-06
【非特許文献３】“移動局の位置を考慮したハンドオーバ・パラメータの自己最適化”, 2010年電子情報通信学会通信ソサイエティ大会, B-5-90.
【非特許文献４】“Self-optimization for handover oscillation control in LTE”, Network Operations and Management Symposium (NOMS), 2010 IEEE.
【発明の概要】
【発明が解決しようとする課題】
【００１５】
しかし、上述した非特許文献３、４に記載される従来技術では、同一の接続セルと隣接セルの組合せにおいて、ハンドオーバパラメータを調整する方向が相反するハンドオーバ失敗事象が同時に発生する場合には、ハンドオーバパラメータの調整に不都合が生じる。例えば、あるハンドオーバ失敗事象を少なくするために、ハンドオーバパラメータの値を小さくすると、別のハンドオーバ失敗事象が多くなることが考えられる。この結果、調整ごとにハンドオーバパラメータの値が上げ下げすることとなって、安定性が悪くなる。
【００１６】
本発明は、このような事情を考慮してなされたもので、ハンドオーバパラメータの調整方向が相反するハンドオーバ失敗事象が同時に発生する場合に、ハンドオーバパラメータ調整の安定性の向上を図ることができるハンドオーバパラメータ調整装置、ハンドオーバパラメータ調整方法およびコンピュータプログラムを提供することを課題とする。
【課題を解決するための手段】
【００１７】
上記の課題を解決するために、本発明に係るハンドオーバパラメータ調整装置は、移動端末が隣接基地局から受信する電力が接続基地局から受信する電力よりも閾値以上大きい電力差を有することが当該接続セルから当該隣接セルへハンドオーバする条件であるセルラシステムにおいて、セルごとに設けるハンドオーバパラメータ調整装置であり、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、を用いて、ハンドオーバ失敗を少なくするための前記閾値の調整方向を示す閾値調整重みを計算する閾値調整重み計算部と、前記閾値調整重みに基づいて前記閾値を決定する閾値決定部と、を備えたことを特徴とする。
【００１８】
本発明に係るハンドオーバパラメータ調整装置において、前記第１のハンドオーバ失敗事象は、「Too Early HO」、及び、隣接セルを「Target Cell」とした「HO to Wrong Cell」であり、前記第２のハンドオーバ失敗事象は、「Too Late HO」、及び、隣接セルを「Reconnection Cell」とした「HO to Wrong Cell」である、ことを特徴とする。
【００１９】
本発明に係るハンドオーバパラメータ調整装置において、前記閾値調整重み計算部は、前記第１のハンドオーバ失敗事象に関する閾値の調整方向別の第１の重みと、前記第２のハンドオーバ失敗事象に関する閾値の調整方向別の第２の重みと、を隣接セルごとに計算し、全ての隣接セルを対象にした前記閾値の調整方向の組合せごとに、全ての隣接セルの前記第１の重みと前記第２の重みを総合し、全ての隣接セルを対象にした前記閾値の調整方向の組合せの中から、前記総合結果の重み付けが最大となる組合せを選択する、ことを特徴とする。
【００２０】
本発明に係るハンドオーバパラメータ調整装置においては、ハンドオーバ失敗率が大きい隣接セルから順番に前記閾値を調整してゆき、前記閾値調整重み計算部は、第１の隣接セルと「HO to Wrong Cell」のペアとなる第２の隣接セルに関し、前記第１の隣接セルの閾値の調整方向に応じた「HO to Wrong Cell」に関する調整規則に従って、前記第２の隣接セルの閾値調整重みを計算する、ことを特徴とする。
【００２１】
本発明に係るハンドオーバパラメータ調整装置において、前記閾値調整重み計算部は、前記第２のハンドオーバ失敗事象のうち、隣接セルを「Reconnection Cell」とした「HO to Wrong Cell」の発生回数を０として閾値調整重みを計算する、ことを特徴とする。
【００２２】
本発明に係るハンドオーバパラメータ調整装置において、前記閾値決定部は、前記閾値調整重みが閾値を大きくする調整方向である場合にのみ、ピンポン・ハンドオーバを少なくするための閾値更新を行う、ことを特徴とする。
【００２３】
本発明に係るハンドオーバパラメータ調整装置においては、ピンポン・ハンドオーバ発生回数が大きい隣接セルから順番に、ピンポン・ハンドオーバを少なくするための閾値を調整してゆき、前記閾値調整重み計算部は、第１の隣接セルと「HO to Wrong Cell」のペアとなる第２の隣接セルに関し、前記第１の隣接セルの閾値の調整方向に応じた「HO to Wrong Cell」に関する調整規則に従って、前記第２の隣接セルの閾値調整重みを計算する、ことを特徴とする。
【００２４】
本発明に係るハンドオーバパラメータ調整方法は、移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する方法であり、閾値調整重み計算部が、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、を用いて、ハンドオーバ失敗を少なくするための前記閾値の調整方向を示す閾値調整重みを計算するステップと、閾値決定部が、前記閾値調整重みに基づいて前記閾値を決定するステップと、を含むことを特徴とする。
【００２５】
本発明に係るコンピュータプログラムは、移動端末が隣接基地局から受信する電力が接続基地局から受信する電力よりも閾値以上大きい電力差を有することが当該接続セルから当該隣接セルへハンドオーバする条件であるセルラシステムにおいて、セルごとにハンドオーバパラメータを調整する処理を行うためのコンピュータプログラムであって、前記閾値を大きくするとハンドオーバ失敗が少なくなる第１のハンドオーバ失敗事象の発生回数と、前記閾値を小さくするとハンドオーバ失敗が少なくなる第２のハンドオーバ失敗事象の発生回数と、を用いて、ハンドオーバ失敗を少なくするための前記閾値の調整方向を示す閾値調整重みを計算するステップと、前記閾値調整重みに基づいて前記閾値を決定するステップと、をコンピュータに実行させるためのコンピュータプログラムであることを特徴とする。
これにより、前述のハンドオーバパラメータ調整装置がコンピュータを利用して実現できるようになる。
【発明の効果】
【００２６】
本発明によれば、ハンドオーバパラメータの調整方向が相反するハンドオーバ失敗事象が同時に発生する場合に、ハンドオーバパラメータ調整の安定性の向上を図ることができるという効果が得られる。
【図面の簡単な説明】
【００２７】
【図１】本発明の一実施形態に係るセルラシステムの構成例を示す概念図である。
【図２】本発明の一実施形態に係るハンドオーバパラメータ調整装置１０の構成図である。
【図３】本発明に係るハンドオーバパラメータ調整処理の実施例１である。
【図４】本発明に係るハンドオーバパラメータ調整処理の実施例１である。
【図５】本発明に係るハンドオーバパラメータ調整処理の実施例２である。
【図６】図５のステップＳ４０に係るハンドオーバ失敗低減処理の第１の実施例である。
【図７】図５のステップＳ４０に係るハンドオーバ失敗低減処理の第２の実施例である。
【図８】図５のステップＳ５０に係るピンポンハンドオーバ低減処理の第２の実施例である。
【図９】本発明に係るハンドオーバパラメータ調整処理の実施例３である。
【図１０】図９のステップＳ８０に係るハンドオーバ失敗低減処理の実施例である。
【発明を実施するための形態】
【００２８】
以下、図面を参照し、本発明の実施形態について説明する。
図１は、本発明の一実施形態に係るセルラシステムの構成例を示す概念図である。本実施形態では、セルラシステムの一例としてＬＴＥシステムを挙げて説明する。図１において、各基地局１は各セル１１０、１２０、１３０に対応して設けられる。ハンドオーバパラメータ調整装置１０は、セル１１０、１２０、１３０ごとに設けられる。ハンドオーバパラメータ調整装置１０は、自セルの基地局１との間でデータを送受する。なお、ハンドオーバパラメータ調整装置１０は、独立した装置として構成されてもよく、あるいは、基地局１に実装されてもよい。
【００２９】
移動端末２は、基地局１と無線接続する。移動端末２は、式（１）を判定し、合格となった場合にＡ３ＭＲを接続基地局へ送信する。このＡ３ＭＲの送信は、移動端末２が接続セルｓから隣接セルｎへハンドオーバする契機となる。式（１）の各種のオフセット値は、接続基地局ｓから移動端末２へ通知される。移動端末２は、接続基地局ｓから通知されたオフセット値を用いて、式（１）を構成する。
【００３０】
図２は、本実施形態に係るハンドオーバパラメータ調整装置１０の構成図である。図２において、ハンドオーバパラメータ調整装置１０は、ハンドオーバ失敗低減処理部１１とピンポンハンドオーバ低減処理部１２と制御部１３を有する。ハンドオーバパラメータ調整装置１０には、自セルの基地局１から入力データ２１が入力される。ハンドオーバパラメータ調整装置１０は、入力データ２１を用いてハンドオーバパラメータ調整処理を行い、出力データ２２を自セルの基地局１へ出力する。
【００３１】
入力データ２１は、自セル（接続セルｓ）で発生した各ハンドオーバ失敗事象の発生回数を有する。ハンドオーバ失敗事象の発生回数は一定期間内に計数されたものである。本実施形態では、以下に示す５種類のハンドオーバ失敗事象を使用する。
【００３２】
（１）隣接セルｎに対する「Too Early HO」
（２）隣接セルｎに対する「Too Late HO」
（３）隣接セルｎを「Target Cell」とした「HO to Wrong Cell」
（４）隣接セルｎを「Reconnection Cell」とした「HO to Wrong Cell」
（５）隣接セルｎに対するピンポン・ハンドオーバ
【００３３】
本実施形態では、式（１）において電力差「Ｍ（ｓ，ｎ）−Ｍ（ｓ，ｓ）」を判定する閾値を調整することによって、上記５種類のハンドオーバ失敗事象を低減することを図る。
【００３４】
（１）隣接セルｎに対する「Too Early HO」と（３）隣接セルｎを「Target Cell」とした「HO to Wrong Cell」とは、電力差「Ｍ（ｓ，ｎ）−Ｍ（ｓ，ｓ）」の閾値を大きくすると、発生回数を低減することができる（第１のハンドオーバ失敗事象）。
【００３５】
これに対し、（２）隣接セルｎに対する「Too Late HO」と（４）隣接セルｎを「Reconnection Cell」とした「HO to Wrong Cell」とは、電力差「Ｍ（ｓ，ｎ）−Ｍ（ｓ，ｓ）」の閾値を小さくすると、発生回数を低減することができる（第２のハンドオーバ失敗事象）。
【００３６】
（５）隣接セルｎに対するピンポン・ハンドオーバは、電力差「Ｍ（ｓ，ｎ）−Ｍ（ｓ，ｓ）」の閾値を大きくすると、発生回数を低減することができる。
【００３７】
ハンドオーバ失敗低減処理部１１は、入力データ２１を用いて、第１のハンドオーバ失敗事象および第２のハンドオーバ失敗事象を対象に、ハンドオーバ失敗事象を低減させるためのハンドオーバパラメータ調整処理を行う。ピンポンハンドオーバ低減処理部１２は、入力データ２１を用いて、ピンポン・ハンドオーバを低減させるためのハンドオーバパラメータ調整処理を行う。制御部１３は、各部１１、１２を制御する。
【００３８】
ハンドオーバパラメータ調整処理の結果である出力データ２２は、式（１）に係る電力差「Ｍ（ｓ，ｎ）−Ｍ（ｓ，ｓ）」の閾値を定めるものである。式（１）に係る電力差「Ｍ（ｓ，ｎ）−Ｍ（ｓ，ｓ）」の閾値は、式（１）に係る６種類のオフセット値（Ｏｆ（ｓ，ｎ）、Ｏｆ（ｓ，ｓ）、Ｏｃ（ｓ，ｎ）、Ｏｃ（ｓ，ｓ）、Ｈｙｓ（ｓ）、ＯｆｆA3（ｓ））から構成される。本実施形態では、これら６種類のオフセット値のうち、Ｏｃ（ｓ，ｎ）を調整する。Ｏｃ（ｓ，ｎ）は、自セルの基地局１（接続基地局ｓ）が隣接基地局ｎごとに設定するオフセット値である。従って、本実施形態に係るハンドオーバパラメータ調整装置１０は、隣接基地局ｎ（隣接セルｎ）ごとに、Ｏｃ（ｓ，ｎ）を調整する。
【００３９】
なお、式（１）において、Ｏｃ（ｓ，ｎ）はＭ（ｓ，ｎ）と同じ左辺にあって正符号を有する。従って、式（１）に係る電力差「Ｍ（ｓ，ｎ）−Ｍ（ｓ，ｓ）」の閾値を大きくする場合にはＯｃ（ｓ，ｎ）を小さくし、該閾値を小さくする場合にはＯｃ（ｓ，ｎ）を大きくする。
【００４０】
又、本実施形態に係るハンドオーバパラメータ調整装置１０は、必要に応じて、ＯｆｆA3（ｓ）を調整する。ＯｆｆA3（ｓ）は、接続基地局ｓごとに設定される、Ａ３ＭＲ固有のオフセット値である。
【００４１】
以下、本実施形態に係るハンドオーバパラメータ調整装置１０の動作を、実施例ごとに詳細に説明する。
【実施例１】
【００４２】
図３、図４は、本実施形態に係るハンドオーバパラメータ調整処理の実施例１である。
【００４３】
実施例１では、Ｏｃ（ｓ，ｎ）の調整方向を示すオフセット調整重みを式（２）で定義する。
オフセット調整重み＝−（ｗ１×（「Too Early HO」発生回数）＋ｂ１）＋（ｗ２×（「Too Late HO」発生回数）＋ｂ２）−（ｗ３×（隣接セルｎを「Target Cell」とした「HO to Wrong Cell」発生回数）＋ｂ３）＋（ｗ４×（隣接セルｎを「Reconnection Cell」とした「HO to Wrong Cell」発生回数）＋ｂ４）      ・・・（２）
但し、ｗ１、ｗ２、ｗ３及びｗ４並びにｂ１、ｂ２、ｂ３及びｂ４は実数である。ハンドオーバパラメータ調整を行う際には、ｗ１、ｗ２、ｗ３及びｗ４並びにｂ１、ｂ２、ｂ３及びｂ４の設定値によって、各ハンドオーバ失敗事象をどの程度考慮するのかを調整することができる。例えばｗ３、ｂ３、ｗ４及びｂ４を０とすれば、「HO to Wrong Cell」を考慮せず、「Too Early HO」と「Too Late HO」のみを考慮して、ハンドオーバ失敗率を下げるパラメータ調整を実施することができる。
【００４４】
図３、図４を参照して、本実施形態に係るハンドオーバパラメータ調整処理の実施例１を説明する。制御部１３は、一定の周期で図３及び図４のハンドオーバパラメータ調整処理を開始する。
ステップＳ１：制御部１３は、パラメータ調整の実行条件Ａ１を判定する。パラメータ調整の実行条件Ａは、自セルにおいて、ハンドオーバ失敗率が規定値（ｘ１％）以上である、又は、隣接セル個別のハンドオーバ失敗率が規定値（ｘ２％）以上である、又は、隣接セル個別のピンポン・ハンドオーバの発生回数が規定回数（ｚ回）以上である、のいずれかが成立することである。
【００４５】
ステップＳ２：制御部１３は、ステップＳ１の判定の結果、パラメータ調整の実行条件Ａ１を満足する場合にステップＳ３へ進む。パラメータ調整の実行条件Ａ１を満足しない場合には、図３及び図４のハンドオーバパラメータ調整処理を終了する。
【００４６】
ステップＳ３：制御部１３は、隣接セルリスト（Neighbor List）から未選択の隣接セルを一つ選択する。隣接セルリストは、隣接セルのＩＤのリストである。
【００４７】
ステップＳ４：制御部１３は、ステップＳ３で選択した隣接セルｎに対して、パラメータ調整の実行条件Ａ２を判定する。パラメータ調整の実行条件Ａ２は、自セルと隣接セルｎとの間において、ハンドオーバ発生回数が規定値（ｙ１回）以上かつハンドオーバ失敗率が規定値（ｘ３％）以上である、又は、ハンドオーバ発生回数が規定値（ｙ１回）未満かつハンドオーバ失敗回数が規定値（ｙ２回）以上である、のいずれかが成立することである。
【００４８】
ステップＳ５：制御部１３は、ステップＳ４の判定の結果、パラメータ調整の実行条件Ａ２を満足する場合にステップＳ６へ進む。パラメータ調整の実行条件Ａ２を満足しない場合には、ステップＳ８へ進む。
【００４９】
ステップＳ６：ハンドオーバ失敗低減処理部１１は、式（２）により、隣接セルｎに係るオフセット調整重みを計算する。
【００５０】
ステップＳ７：ハンドオーバ失敗低減処理部１１は、隣接セルｎに係るオフセット調整重みに基づいて、隣接セルｎに係るＯｃ（ｓ，ｎ）を決定する。
【００５１】
ステップＳ７に係るＯｃ（ｓ，ｎ）決定方法を説明する。まず、定数ｃを０以上の実数として予め設定しておく。オフセット調整重みが定数ｃよりも大きい場合には、Ｏｃ（ｓ，ｎ）を現在値よりも大きくする。オフセット調整重みが定数ｃ以下「−ｃ」以上である場合には、Ｏｃ（ｓ，ｎ）をそのまま（現在値を維持）とする。オフセット調整重みが「−ｃ」よりも小さい場合には、Ｏｃ（ｓ，ｎ）を現在値よりも小さくする。Ｏｃ（ｓ，ｎ）の変更量としては、固定量であってもよく、あるいは、オフセット調整重みの大きさに応じた可変量であってもよい。
【００５２】
ステップＳ８：制御部１３は、ステップＳ３で選択した隣接セルｎに対して、パラメータ調整の実行条件Ａ３を判定する。パラメータ調整の実行条件Ａ３は、自セルと隣接セルｎとの間において、ピンポン・ハンドオーバ発生回数が規定値（ｚ回）以上であることである。
【００５３】
ステップＳ９：制御部１３は、ステップＳ８の判定の結果、パラメータ調整の実行条件Ａ３を満足する場合にステップＳ１０へ進む。パラメータ調整の実行条件Ａ３を満足しない場合には、ステップＳ２０へ進む。
【００５４】
ステップＳ１０：ピンポンハンドオーバ低減処理部１２は、式（２）により、隣接セルｎに係るオフセット調整重みを計算する。
【００５５】
ステップＳ１１：ピンポンハンドオーバ低減処理部１２は、隣接セルｎに係るオフセット調整重みに基づいて、隣接セルｎに係るＯｃ（ｓ，ｎ）を決定する。
【００５６】
ステップＳ１１に係るＯｃ（ｓ，ｎ）決定方法を説明する。まず、定数ｃを０以上の実数として予め設定しておく。オフセット調整重みが「−ｃ」よりも小さい場合には、Ｏｃ（ｓ，ｎ）を現在値よりも小さくする。オフセット調整重みが「−ｃ」以上である場合には、Ｏｃ（ｓ，ｎ）をそのまま（現在値を維持）とする。Ｏｃ（ｓ，ｎ）の変更量としては、固定量であってもよく、あるいは、オフセット調整重みの大きさに応じた可変量であってもよい。
【００５７】
ステップＳ１２：制御部１３は、隣接セルｎについてオフセット調整履歴の条件Ｂ１を判定する。オフセット調整履歴の条件Ｂ１は、直近の過去の所定回数のＯｃ（ｓ，ｎ）調整方向が上げ下げしていないことである。
【００５８】
ステップＳ１３：制御部１３は、ステップＳ１２の判定の結果、オフセット調整履歴の条件Ｂ１を満足する場合にステップＳ１４へ進む。オフセット調整履歴の条件Ｂ１を満足しない場合には、ステップＳ１５へ進む。
【００５９】
ステップＳ１４：制御部１３は、ステップＳ７又はＳ１１で決定された隣接セルｎに係るＯｃ（ｓ，ｎ）を出力データ２２に設定する。この後、ステップＳ１９へ進む。なお、このステップＳ１４では、出力データ２２にＯｃ（ｓ，ｎ）を設定するだけであり、まだ出力データ２２は出力しない。
【００６０】
ステップＳ１５：制御部１３は、隣接セルｎについてオフセット調整履歴の条件Ｂ２を判定する。オフセット調整履歴の条件Ｂ２は、直近の過去の所定回数連続して、Ｏｃ（ｓ，ｎ）の調整がキャンセルされていることである。
【００６１】
ステップＳ１６：制御部１３は、ステップＳ１５の判定の結果、オフセット調整履歴の条件Ｂ２を満足する場合にステップＳ１７へ進む。オフセット調整履歴の条件Ｂ２を満足しない場合には、ステップＳ１８へ進む。
【００６２】
ステップＳ１７：制御部１３は、隣接セルｎのオフセット調整履歴をクリアする。この後、ステップＳ１４へ進む。
【００６３】
ステップＳ１８：制御部１３は、隣接セルｎに係る今回のＯｃ（ｓ，ｎ）調整をキャンセルする。この後、ステップＳ１９へ進む。
【００６４】
ステップＳ１９：制御部１３は、隣接セルｎのオフセット調整履歴を更新する。
【００６５】
ステップＳ２０：制御部１３は、隣接セルリスト内に未選択の隣接セルが残っているかを判断する。この結果、隣接セルリスト内に未選択の隣接セルが残っている場合にステップＳ３に戻る。隣接セルリスト内に未選択の隣接セルが残っていない場合には図４のステップＳ２１に進む。
【００６６】
ステップＳ２１：制御部１３は、出力データ２２に設定された全Ｏｃ（ｓ，ｎ）を対象にして、上限および下限の規定を満足しているかを判定する。
【００６７】
ステップＳ２２：制御部１３は、ステップＳ２１の判定の結果、出力データ２２に設定された全Ｏｃ（ｓ，ｎ）が上限および下限の規定を満足している場合に、図３及び図４のハンドオーバパラメータ調整処理を終了する。出力データ２２に設定されたいずれかのＯｃ（ｓ，ｎ）が上限又は下限の規定を満足していない場合には、ステップＳ２３に進む。
【００６８】
ステップＳ２３：制御部１３は、出力データ２２に設定された全Ｏｃ（ｓ，ｎ）を対象にして、上限および下限の規定を満足するように全体調整する。この後、図３及び図４のハンドオーバパラメータ調整処理を終了する。
【００６９】
ステップＳ２３に係る全体調整方法を説明する。本実施形態では、式（１）に係るＯｆｆA3（ｓ）を用いて、全体調整を行う。具体的には、まず、出力データ２２に設定された全Ｏｃ（ｓ，ｎ）を対象にして中央値を求める。次いで、その中央値分をＯｆｆA3（ｓ）に移す。次いで、出力データ２２に設定された全Ｏｃ（ｓ，ｎ）を対象にして、各Ｏｃ（ｓ，ｎ）から中央値分を減ずる。
【００７０】
ハンドオーバパラメータ調整装置１０、図３及び図４のハンドオーバパラメータ調整処理の終了後、出力データ２２を自セルの基地局１へ出力する。
【００７１】
なお、ステップＳ２３において、式（１）に係るＨｙｓ（ｓ）を用いて全体調整を行ってもよい。又、ステップＳ２３において、中央値の代わりに平均値を用いてもよい。
【実施例２】
【００７２】
図５は、本実施形態に係るハンドオーバパラメータ調整処理の実施例２である。図５において、実施例１に係る図３の各ステップに対応する部分には同一の符号を付している。実施例２では、隣接セル間で互いに及ぼし合う影響を考慮して、Ｏｃ（ｓ，ｎ）の調整を行う。
【００７３】
図５を参照して、本実施形態に係るハンドオーバパラメータ調整処理の実施例２を説明する。制御部１３は、一定の周期で図５のハンドオーバパラメータ調整処理を開始する。まず、ステップＳ１からＳ５までは実施例１（図３）と同じである。但し、ステップＳ５で、ステップＳ４の判定の結果、パラメータ調整の実行条件Ａ２を満足する場合にはステップＳ３１又はＳ３２へ進む。このステップＳ３１へ進むかＳ３２へ進むのかは、後述するステップＳ４０の処理内容に対応している。
【００７４】
ステップＳ３１：ハンドオーバ失敗低減処理部１１は、実施例１と同様に式（２）により、隣接セルｎに係るオフセット調整重みを計算する。
【００７５】
ステップＳ３２：ハンドオーバ失敗低減処理部１１は、ステップＳ３で選択された隣接セルｎのＩＤをハンドオーバ失敗低減対象リストに追加する。この後、ステップＳ２０へ進む。
【００７６】
ステップＳ５で、ステップＳ４の判定の結果、パラメータ調整の実行条件Ａ２を満足しない場合には、ステップＳ８に進む。ステップＳ８は実施例１（図３）と同じである。
【００７７】
ステップＳ９：制御部１３は、ステップＳ８の判定の結果、パラメータ調整の実行条件Ａ３を満足する場合にステップＳ３３へ進む。パラメータ調整の実行条件Ａ３を満足しない場合には、ステップＳ２０へ進む。
【００７８】
ステップＳ３３：ピンポンハンドオーバ低減処理部１２は、実施例１と同様に式（２）により、隣接セルｎに係るオフセット調整重みを計算する。
【００７９】
ステップＳ３４：ピンポンハンドオーバ低減処理部１２は、ステップＳ３で選択された隣接セルｎのＩＤをピンポン・ハンドオーバ低減対象リストに追加する。この後、ステップＳ２０へ進む。
【００８０】
ステップＳ２０：制御部１３は、隣接セルリスト内に未選択の隣接セルが残っているかを判断する。この結果、隣接セルリスト内に未選択の隣接セルが残っている場合にステップＳ３に戻る。隣接セルリスト内に未選択の隣接セルが残っていない場合にはステップＳ４０に進む。
【００８１】
ステップＳ４０：ハンドオーバ失敗低減対象リストに含まれる隣接セルを対象にして、ハンドオーバ失敗低減処理を行う。このステップＳ４０の処理内容については後述する。
【００８２】
ステップＳ５０：ピンポン・ハンドオーバ低減対象リストに含まれる隣接セルを対象にして、ピンポンハンドオーバ低減処理を行う。このステップＳ５０の処理内容については後述する。
【００８３】
ステップＳ６０：制御部１３は、出力データ２２に設定された全Ｏｃ（ｓ，ｎ）を対象にして、全体調整処理を行う。このステップＳ６０の全体調整処理は、実施例１の図４のステップＳ２１からＳ２３と同じである。この後、図５の処理を終了する。
【００８４】
［ステップＳ４０の第１の実施例］
図６は、図５のステップＳ４０に係るハンドオーバ失敗低減処理の第１の実施例である。図６を参照して、図５のステップＳ４０に係るハンドオーバ失敗低減処理の第１の実施例を説明する。
【００８５】
ステップＳ４０の第１の実施例に対しては、図５のステップＳ５で、ステップＳ４の判定の結果、パラメータ調整の実行条件Ａ２を満足する場合には、ステップＳ３２へ進む。従って、図５のステップＳ３１は実行しない。
【００８６】
ステップＳ４０１：ハンドオーバ失敗低減処理部１１は、ハンドオーバ失敗低減対象リストから未選択の隣接セルを一つ選択する。
【００８７】
ステップＳ４０２：ハンドオーバ失敗低減処理部１１は、ステップＳ４０１で選択した隣接セルｎに対して、詳細重み計算処理を行う。
【００８８】
ステップＳ４０２の詳細重み計算処理を説明する。詳細重み計算処理では、以下に示すように、隣接セルｎを対象にして、ハンドオーバ失敗事象（１）から（４）ごとに、Ｏｃ（ｓ，ｎ）の調整方向別に各重みを全て計算する。Ｏｃ（ｓ，ｎ）の調整方向としては、現在値よりも大きくする、現在値よりも小さくする、現在値を維持する、の３種類がある。
【００８９】
（１）隣接セルｎに対する「Too Early HO」に係る重みＷｅ，ｎの計算方法
現在値よりも大きくする場合、
Ｗｅ，ｎ＝−（隣接セルｎに対する「Too Early HO」発生回数）
現在値よりも小さくする場合、
Ｗｅ，ｎ＝＋（隣接セルｎに対する「Too Early HO」発生回数）
現在値を維持する場合、
Ｗｅ，ｎ＝０
【００９０】
（２）隣接セルｎに対する「Too Late HO」に係る重みＷｌ，ｎの計算方法
現在値よりも大きくする場合、
Ｗｌ，ｎ＝＋（隣接セルｎに対する「Too Late HO」発生回数）
現在値よりも小さくする場合、
Ｗｌ，ｎ＝−（隣接セルｎに対する「Too Late HO」発生回数）
現在値を維持する場合、
Ｗｌ，ｎ＝０
【００９１】
（３）隣接セルｎを「Target Cell」とした「HO to Wrong Cell」に係る重みＷｗｔ，ｎ，ｒの計算方法
但し、「Reconnection Cell」の候補となる隣接セルをrとする。ｊ１及びｊ２は正の実数であり、ｊ１はｊ２以下である。
【００９２】
隣接セルｎのＯｃ（ｓ，ｎ）を現在値よりも大きくし、かつ、隣接セルｒのＯｃ（ｓ，ｒ）を現在値よりも大きくする場合、
Ｗｗｔ，ｎ，ｒ＝０
隣接セルｎのＯｃ（ｓ，ｎ）を現在値よりも大きくし、かつ、隣接セルｒのＯｃ（ｓ，ｒ）を現在値の維持とする場合、
Ｗｗｔ，ｎ，ｒ＝−ｊ１×（隣接セルｎを「Target Cell」とし、隣接セルｒを「Reconnection Cell」とした「HO to Wrong Cell」発生回数）
隣接セルｎのＯｃ（ｓ，ｎ）を現在値よりも大きくし、かつ、隣接セルｒのＯｃ（ｓ，ｒ）を現在値よりも小さくする場合、
Ｗｗｔ，ｎ，ｒ＝−ｊ２×（隣接セルｎを「Target Cell」とし、隣接セルｒを「Reconnection Cell」とした「HO to Wrong Cell」発生回数）
【００９３】
隣接セルｎのＯｃ（ｓ，ｎ）を現在値の維持とし、かつ、隣接セルｒのＯｃ（ｓ，ｒ）を現在値よりも大きくする場合、
Ｗｗｔ，ｎ，ｒ＝ｊ１×（隣接セルｎを「Target Cell」とし、隣接セルｒを「Reconnection Cell」とした「HO to Wrong Cell」発生回数）
隣接セルｎのＯｃ（ｓ，ｎ）を現在値の維持とし、かつ、隣接セルｒのＯｃ（ｓ，ｒ）を現在値の維持とする場合、
Ｗｗｔ，ｎ，ｒ＝０
隣接セルｎのＯｃ（ｓ，ｎ）を現在値の維持とし、かつ、隣接セルｒのＯｃ（ｓ，ｒ）を現在値よりも小さくする場合、
Ｗｗｔ，ｎ，ｒ＝−ｊ１×（隣接セルｎを「Target Cell」とし、隣接セルｒを「Reconnection Cell」とした「HO to Wrong Cell」発生回数）
【００９４】
隣接セルｎのＯｃ（ｓ，ｎ）を現在値よりも小さくし、かつ、隣接セルｒのＯｃ（ｓ，ｒ）を現在値よりも大きくする場合、
Ｗｗｔ，ｎ，ｒ＝ｊ２×（隣接セルｎを「Target Cell」とし、隣接セルｒを「Reconnection Cell」とした「HO to Wrong Cell」発生回数）
隣接セルｎのＯｃ（ｓ，ｎ）を現在値よりも小さくし、かつ、隣接セルｒのＯｃ（ｓ，ｒ）を現在値の維持とする場合、
Ｗｗｔ，ｎ，ｒ＝ｊ１×（隣接セルｎを「Target Cell」とし、隣接セルｒを「Reconnection Cell」とした「HO to Wrong Cell」発生回数）
隣接セルｎのＯｃ（ｓ，ｎ）を現在値よりも小さくし、かつ、隣接セルｒのＯｃ（ｓ，ｒ）を現在値よりも小さくする場合、
Ｗｗｔ，ｎ，ｒ＝０
【００９５】
（４）隣接セルｎを「Reconnection Cell」とした「HO to Wrong Cell」に係る重みＷｗｒ，ｎ，ｔの計算方法
但し、「Target Cell」の候補となる隣接セルをｔとする。ｊ１及びｊ２は正の実数であり、ｊ１はｊ２以下である。
【００９６】
隣接セルｎのＯｃ（ｓ，ｎ）を現在値よりも大きくし、かつ、隣接セルｔのＯｃ（ｓ，ｔ）を現在値よりも大きくする場合、
Ｗｗｒ，ｎ，ｔ＝０
隣接セルｎのＯｃ（ｓ，ｎ）を現在値よりも大きくし、かつ、隣接セルｔのＯｃ（ｓ，ｔ）を現在値の維持とする場合、
Ｗｗｒ，ｎ，ｔ＝ｊ１×（隣接セルｎを「Reconnection Cell」とし、隣接セルｔを「Target Cell」とした「HO to Wrong Cell」発生回数）
隣接セルｎのＯｃ（ｓ，ｎ）を現在値よりも大きくし、かつ、隣接セルｔのＯｃ（ｓ，ｔ）を現在値よりも小さくする場合、
Ｗｗｒ，ｎ，ｔ＝ｊ２×（隣接セルｎを「Reconnection Cell」とし、隣接セルｔを「Target Cell」とした「HO to Wrong Cell」発生回数）
【００９７】
隣接セルｎのＯｃ（ｓ，ｎ）を現在値の維持とし、かつ、隣接セルｔのＯｃ（ｓ，ｔ）を現在値よりも大きくする場合、
Ｗｗｒ，ｎ，ｔ＝−ｊ１×（隣接セルｎを「Reconnection Cell」とし、隣接セルｔを「Target Cell」とした「HO to Wrong Cell」発生回数）
隣接セルｎのＯｃ（ｓ，ｎ）を現在値の維持とし、かつ、隣接セルｔのＯｃ（ｓ，ｔ）を現在値の維持とする場合、
Ｗｗｒ，ｎ，ｔ＝０
隣接セルｎのＯｃ（ｓ，ｎ）を現在値の維持とし、かつ、隣接セルｔのＯｃ（ｓ，ｔ）を現在値よりも小さくする場合、
Ｗｗｒ，ｎ，ｔ＝ｊ１×（隣接セルｎを「Reconnection Cell」とし、隣接セルｔを「Target Cell」とした「HO to Wrong Cell」発生回数）
【００９８】
隣接セルｎのＯｃ（ｓ，ｎ）を現在値よりも小さくし、かつ、隣接セルｔのＯｃ（ｓ，ｔ）を現在値よりも大きくする場合、
Ｗｗｒ，ｎ，ｔ＝−ｊ２×（隣接セルｎを「Reconnection Cell」とし、隣接セルｔを「Target Cell」とした「HO to Wrong Cell」発生回数）
隣接セルｎのＯｃ（ｓ，ｎ）を現在値よりも小さくし、かつ、隣接セルｔのＯｃ（ｓ，ｔ）を現在値の維持とする場合、
Ｗｗｒ，ｎ，ｔ＝−ｊ１×（隣接セルｎを「Reconnection Cell」とし、隣接セルｔを「Target Cell」とした「HO to Wrong Cell」発生回数）
隣接セルｎのＯｃ（ｓ，ｎ）を現在値よりも小さくし、かつ、隣接セルｔのＯｃ（ｓ，ｔ）を現在値よりも小さくする場合、
Ｗｗｒ，ｎ，ｔ＝０
以上がステップＳ４０２の詳細重み計算処理の説明である。
【００９９】
ステップＳ４０３：ハンドオーバ失敗低減処理部１１は、ハンドオーバ失敗低減対象リスト内に未選択の隣接セルが残っているかを判断する。この結果、ハンドオーバ失敗低減対象リスト内に未選択の隣接セルが残っている場合にステップＳ４０１に戻る。ハンドオーバ失敗低減対象リスト内に未選択の隣接セルが残っていない場合にはステップＳ４０４に進む。
【０１００】
ステップＳ４０４：ハンドオーバ失敗低減処理部１１は、ハンドオーバ失敗低減対象リスト内の全ての隣接セルを対象にしたＯｃ（ｓ，ｎ）の調整方向の組合せごとに、式（３）により総合重みＷを計算する。
【０１０１】
【数２】
0005277261.tif 000003
【０１０２】
次いで、ハンドオーバ失敗低減処理部１１は、ハンドオーバ失敗低減対象リスト内の全ての隣接セルを対象にしたＯｃ（ｓ，ｎ）の調整方向の組合せの中から、総合重みＷが最大となる組合せを選択する。これにより、ハンドオーバ失敗低減対象リスト内の各隣接セルに対して、それぞれにＯｃ（ｓ，ｎ）の調整方向が決まる。次いで、ハンドオーバ失敗低減処理部１１は、ハンドオーバ失敗低減対象リスト内の各隣接セルに対し、各Ｏｃ（ｓ，ｎ）の調整方向に従ってＯｃ（ｓ，ｎ）を決定する。このＯｃ（ｓ，ｎ）の決定方法は、実施例１に係る図３のステップＳ７と同じである。
【０１０３】
［ステップＳ４０の第２の実施例］
図７は、図５のステップＳ４０に係るハンドオーバ失敗低減処理の第２の実施例である。図７を参照して、図５のステップＳ４０に係るハンドオーバ失敗低減処理の第２の実施例を説明する。
【０１０４】
ステップＳ４０の第２の実施例に対しては、図５のステップＳ５で、ステップＳ４の判定の結果、パラメータ調整の実行条件Ａ２を満足する場合には、ステップＳ３１へ進む。図５のステップＳ３１は、実施例１に係る図３のステップＳ６と同じであり、ハンドオーバ失敗低減処理部１１は、式（２）により、隣接セルｎに係るオフセット調整重みを計算する。このステップＳ３１の計算結果である各隣接セルに係るオフセット調整重みは、オフセット調整重みの初期値として記録しておく。
【０１０５】
ステップＳ４１１：ハンドオーバ失敗低減処理部１１は、ハンドオーバ失敗低減対象リストから未選択、且つ、ハンドオーバ失敗率が最大である隣接セルを一つ選択する。この選択された隣接セルを対象セルｎと称する。
【０１０６】
ステップＳ４１２：ハンドオーバ失敗低減処理部１１は、対象セルｎに対して、パラメータ調整の実行条件Ｃ１を判定する。パラメータ調整の実行条件Ｃ１は、対象セルｎのオフセット調整重みの最新値が、ステップＳ３１の計算結果（初期値）と符合が同じであることである。
【０１０７】
ステップＳ４１３：ハンドオーバ失敗低減処理部１１は、ステップＳ４１２の判定の結果、パラメータ調整の実行条件Ｃ１を満足する場合にステップＳ４１４へ進む。パラメータ調整の実行条件Ｃ１を満足しない場合には、ステップＳ４２１へ進む。
【０１０８】
ステップＳ４１４：ハンドオーバ失敗低減処理部１１は、対象セルｎに係るオフセット調整重みに基づいて、対象セルｎに係るＯｃ（ｓ，ｎ）を決定する。このＯｃ（ｓ，ｎ）の決定方法は、実施例１に係る図３のステップＳ７と同じである。
【０１０９】
ステップＳ４１５：制御部１３は、オフセット調整履歴判定処理を行う。このオフセット調整履歴判定処理は、実施例１に係る図３のステップＳ１２からＳ１９と同様である。
【０１１０】
ステップＳ４１６：ハンドオーバ失敗低減処理部１１は、隣接セルリストから未選択、且つ、対象セルｎと「HO to Wrong Cell」のペアになることができる隣接セルを一つ選択する。この選択された隣接セルを対象ペアセルｐと称する。
【０１１１】
ステップＳ４１７：ハンドオーバ失敗低減処理部１１は、対象ペアセルｐのオフセット調整状況を確認する。
【０１１２】
ステップＳ４１８：ハンドオーバ失敗低減処理部１１は、ステップＳ４１７の確認の結果、対象ペアセルｐに係るＯｃ（ｓ，ｐ）が決定済みである場合にはステップＳ４２０に進む。対象ペアセルｐに係るＯｃ（ｓ，ｐ）が未定である場合にはステップＳ４１９に進む。
【０１１３】
ステップＳ４１９：ハンドオーバ失敗低減処理部１１は、対象ペアセルｐのオフセット調整重みを更新する。
【０１１４】
ステップＳ４１９に係るオフセット調整重み更新方法を説明する。このオフセット調整重み更新方法では、対象セルｎと対象ペアセルｐに関し、対象セルｎのＯｃ（ｓ，ｎ）の調整方向に応じた「HO to Wrong Cell」に関する調整規則（ａ）、（ｂ）に従って、対象ペアセルｐのオフセット調整重みを更新する。この更新後の値は、対象ペアセルｐのオフセット調整重みの最新値となる。但し、ｋ１は正の実数である。
【０１１５】
（ａ）対象セルｎのＯｃ（ｓ，ｎ）の調整方向が現在値よりも大きくするである場合、対象ペアセルｐのオフセット調整重みから「ｋ１×（ｗ３×（対象ペアセルｐを「Target Cell」且つ対象セルｎを「Reconnection Cell」とした「HO to Wrong Cell」発生回数）＋ｂ３）」を減ずる。
【０１１６】
（ｂ）対象セルｎのＯｃ（ｓ，ｎ）の調整方向が現在値よりも小さくするである場合、対象ペアセルｐのオフセット調整重みから「ｋ１×（ｗ４×（対象セルｎを「Target Cell」且つ対象ペアセルｐを「Reconnection Cell」とした「HO to Wrong Cell」発生回数）＋ｂ４）」を減ずる。
【０１１７】
ステップＳ４２０：ハンドオーバ失敗低減処理部１１は、隣接セルリスト内に未選択の対象ペアセル候補が残っているかを判断する。この結果、隣接セルリスト内に未選択の対象ペアセル候補が残っている場合にステップＳ４１６に戻る。隣接セルリスト内に未選択の対象ペアセル候補が残っていない場合にはステップＳ４２１に進む。
【０１１８】
ステップＳ４２１：ハンドオーバ失敗低減処理部１１は、ハンドオーバ失敗低減対象リスト内に未選択の隣接セルが残っているかを判断する。この結果、ハンドオーバ失敗低減対象リスト内に未選択の隣接セルが残っている場合にステップＳ４１１に戻る。ハンドオーバ失敗低減対象リスト内に未選択の隣接セルが残っていない場合には図７の処理を終了する。
【０１１９】
［ステップＳ５０の第１の実施例］
図５のステップＳ５０に係るピンポンハンドオーバ低減処理の第１の実施例としては、ピンポン・ハンドオーバ低減対象リストに含まれる隣接セルを対象にして、実施例１に係る図３のステップＳ１１と同様に、隣接セルｎに係るオフセット調整重みに基づいて、隣接セルｎに係るＯｃ（ｓ，ｎ）を決定する。次いで、実施例１に係る図３のステップＳ１２からＳ１９と同様のオフセット調整履歴判定処理を行う。
【０１２０】
［ステップＳ５０の第２の実施例］
図８は、図５のステップＳ５０に係るピンポンハンドオーバ低減処理の第２の実施例である。図８を参照して、図５のステップＳ５０に係るピンポンハンドオーバ低減処理の第２の実施例を説明する。
【０１２１】
ステップＳ５０１：ピンポンハンドオーバ低減処理部１２は、ピンポン・ハンドオーバ低減対象リストから未選択、且つ、ピンポンハンドオーバ発生回数が最大である隣接セルを一つ選択する。この選択された隣接セルを対象セルｎと称する。
【０１２２】
ステップＳ５０２：ピンポンハンドオーバ低減処理部１２は、対象セルｎに対して、パラメータ調整の非実行条件Ｄ１を判定する。パラメータ調整の非実行条件Ｄ１は、対象セルｎのオフセット調整重みが、図５のステップＳ５０のハンドオーバ失敗低減処理において他の隣接セルのオフセット調整重みの更新により負値からさらに負方向への更新がない、且つ、本ステップＳ５０のピンポンハンドオーバ低減処理において他の隣接セルのオフセット調整重みの更新のみによりステップＳ３３の計算結果と符合が逆転している、ことである。
【０１２３】
ステップＳ５０３：ピンポンハンドオーバ低減処理部１２は、ステップＳ５０２の判定の結果、パラメータ調整の非実行条件Ｄ１を満足する場合にステップＳ５１１へ進む。パラメータ調整の非実行条件Ｄ１を満足しない場合には、ステップＳ５０４へ進む。
【０１２４】
ステップＳ５０４：ピンポンハンドオーバ低減処理部１２は、実施例１に係る図３のステップＳ１１と同様に、対象セルｎに係るオフセット調整重みに基づいて、対象セルｎに係るＯｃ（ｓ，ｎ）を決定する。
【０１２５】
ステップＳ５０５：制御部１３は、オフセット調整履歴判定処理を行う。このオフセット調整履歴判定処理は、実施例１に係る図３のステップＳ１２からＳ１９と同様である。
【０１２６】
ステップＳ５０６：ピンポンハンドオーバ低減処理部１２は、隣接セルリストから未選択、且つ、対象セルｎと「HO to Wrong Cell」のペアになることができる隣接セルを一つ選択する。この選択された隣接セルを対象ペアセルｐと称する。
【０１２７】
ステップＳ５０７：ピンポンハンドオーバ低減処理部１２は、対象ペアセルｐのオフセット調整状況を確認する。
【０１２８】
ステップＳ５０８：ピンポンハンドオーバ低減処理部１２は、ステップＳ５０７の確認の結果、対象ペアセルｐに係るＯｃ（ｓ，ｐ）が決定済みである場合にはステップＳ５１０に進む。対象ペアセルｐに係るＯｃ（ｓ，ｐ）が未定である場合にはステップＳ５０９に進む。
【０１２９】
ステップＳ５０９：ピンポンハンドオーバ低減処理部１２は、対象ペアセルｐのオフセット調整重みを更新する。
【０１３０】
ステップＳ５０９に係るオフセット調整重み更新方法を説明する。このオフセット調整重み更新方法では、対象セルｎと対象ペアセルｐに関し、対象セルｎのＯｃ（ｓ，ｎ）の調整方向に応じた「HO to Wrong Cell」に関する調整規則（ｃ）に従って、対象ペアセルｐのオフセット調整重みを更新する。
【０１３１】
（ｃ）対象ペアセルｐのオフセット調整重みから「ｋ１×（ｗ４×（対象セルｎを「Target Cell」且つ対象ペアセルｐを「Reconnection Cell」とした「HO to Wrong Cell」発生回数）＋ｂ４）」を減ずる。
【０１３２】
ステップＳ５１０：ピンポンハンドオーバ低減処理部１２は、隣接セルリスト内に未選択の対象ペアセル候補が残っているかを判断する。この結果、隣接セルリスト内に未選択の対象ペアセル候補が残っている場合にステップＳ５０６に戻る。隣接セルリスト内に未選択の対象ペアセル候補が残っていない場合にはステップＳ５１１に進む。
【０１３３】
ステップＳ５１１：ピンポンハンドオーバ低減処理部１２は、ピンポン・ハンドオーバ低減対象リスト内に未選択の隣接セルが残っているかを判断する。この結果、ピンポン・ハンドオーバ低減対象リスト内に未選択の隣接セルが残っている場合にステップＳ５０１に戻る。ピンポン・ハンドオーバ低減対象リスト内に未選択の隣接セルが残っていない場合には図８の処理を終了する。
【実施例３】
【０１３４】
図９は、本実施形態に係るハンドオーバパラメータ調整処理の実施例３である。図９において、実施例２に係る図５の各ステップに対応する部分には同一の符号を付している。実施例３では、実施例２と同様に、隣接セル間で互いに及ぼし合う影響を考慮して、Ｏｃ（ｓ，ｎ）の調整を行う。但し、オフセット調整重みの計算式である式（２）において、ｗ４＝０、ｂ４＝０、とする。これにより、隣接セルｎのオフセット調整重みに対して、隣接セルｎを「Reconnection Cell」とした「HO to Wrong Cell」発生回数を反映させない。これは、隣接セルｎを「Target Cell」とした「HO to Wrong Cell」を優先して低減させるためである。
【０１３５】
図９を参照して、本実施形態に係るハンドオーバパラメータ調整処理の実施例３を説明する。制御部１３は、一定の周期で図９のハンドオーバパラメータ調整処理を開始する。まず、ステップＳ１からＳ５までは実施例１（図３）と同じである。但し、ステップＳ５で、ステップＳ４の判定の結果、パラメータ調整の実行条件Ａ２を満足する場合にはステップＳ７１へ進む。
【０１３６】
ステップＳ７１：ハンドオーバ失敗低減処理部１１は、式（２）に対して「ｗ４＝０、ｂ４＝０」として、隣接セルｎに係るオフセット調整重みを計算する。
【０１３７】
ステップＳ３２：ハンドオーバ失敗低減処理部１１は、ステップＳ３で選択された隣接セルｎのＩＤをハンドオーバ失敗低減対象リストに追加する。この後、ステップＳ２０へ進む。
【０１３８】
ステップＳ５で、ステップＳ４の判定の結果、パラメータ調整の実行条件Ａ２を満足しない場合には、ステップＳ８に進む。ステップＳ８は実施例１（図３）と同じである。
【０１３９】
ステップＳ９：制御部１３は、ステップＳ８の判定の結果、パラメータ調整の実行条件Ａ３を満足する場合にステップＳ７２へ進む。パラメータ調整の実行条件Ａ３を満足しない場合には、ステップＳ２０へ進む。
【０１４０】
ステップＳ７２：ピンポンハンドオーバ低減処理部１２は、式（２）に対して「ｗ４＝０、ｂ４＝０」として、隣接セルｎに係るオフセット調整重みを計算する。
【０１４１】
ステップＳ３４：ピンポンハンドオーバ低減処理部１２は、ステップＳ３で選択された隣接セルｎのＩＤをピンポン・ハンドオーバ低減対象リストに追加する。この後、ステップＳ２０へ進む。
【０１４２】
ステップＳ２０：制御部１３は、隣接セルリスト内に未選択の隣接セルが残っているかを判断する。この結果、隣接セルリスト内に未選択の隣接セルが残っている場合にステップＳ３に戻る。隣接セルリスト内に未選択の隣接セルが残っていない場合にはステップＳ８０に進む。
【０１４３】
ステップＳ８０：ハンドオーバ失敗低減対象リストに含まれる隣接セルを対象にして、ハンドオーバ失敗低減処理を行う。このステップＳ８０の処理内容については後述する。
【０１４４】
ステップＳ５０：ピンポン・ハンドオーバ低減対象リストに含まれる隣接セルを対象にして、ピンポンハンドオーバ低減処理を行う。このステップＳ５０の処理は、実施例２に係るステップＳ５０の第１の実施例又は第２の実施例を利用する。
【０１４５】
ステップＳ６０：制御部１３は、出力データ２２に設定された全Ｏｃ（ｓ，ｎ）を対象にして、全体調整処理を行う。このステップＳ６０の全体調整処理は、実施例１の図４のステップＳ２１からＳ２３と同じである。この後、図９の処理を終了する。
【０１４６】
［ステップＳ８０の実施例］
図１０は、図９のステップＳ８０に係るハンドオーバ失敗低減処理の実施例である。図１０を参照して、図９のステップＳ８０に係るハンドオーバ失敗低減処理の実施例を説明する。
【０１４７】
ステップＳ８０１：ハンドオーバ失敗低減処理部１１は、ハンドオーバ失敗低減対象リストから未選択、且つ、ハンドオーバ失敗率が最大である隣接セルを一つ選択する。この選択された隣接セルを対象セルｎと称する。
【０１４８】
ステップＳ８０２：ハンドオーバ失敗低減処理部１１は、対象セルｎに係るオフセット調整重みに基づいて、対象セルｎに係るＯｃ（ｓ，ｎ）を決定する。このＯｃ（ｓ，ｎ）の決定方法は、実施例１に係る図３のステップＳ７と同じである。
【０１４９】
ステップＳ８０３：制御部１３は、オフセット調整履歴判定処理を行う。このオフセット調整履歴判定処理は、実施例１に係る図３のステップＳ１２からＳ１９と同様である。
【０１５０】
ステップＳ８０４：ハンドオーバ失敗低減処理部１１は、隣接セルリストから未選択、且つ、対象セルｎと「HO to Wrong Cell」のペアになることができる隣接セルを一つ選択する。この選択された隣接セルを対象ペアセルｐと称する。
【０１５１】
ステップＳ８０５：ハンドオーバ失敗低減処理部１１は、対象ペアセルｐのオフセット調整状況を確認する。
【０１５２】
ステップＳ８０６：ハンドオーバ失敗低減処理部１１は、ステップＳ８０４の確認の結果、対象ペアセルｐに係るＯｃ（ｓ，ｐ）が決定済みである場合にはステップＳ８０８に進む。対象ペアセルｐに係るＯｃ（ｓ，ｐ）が未定である場合にはステップＳ８０７に進む。
【０１５３】
ステップＳ８０７：ハンドオーバ失敗低減処理部１１は、対象ペアセルｐのオフセット調整重みを更新する。
【０１５４】
ステップＳ８０７に係るオフセット調整重み更新方法を説明する。このオフセット調整重み更新方法では、対象セルｎと対象ペアセルｐに関し、対象セルｎのＯｃ（ｓ，ｎ）の調整方向に応じた「HO to Wrong Cell」に関する調整規則（ａ）に従って、対象ペアセルｐのオフセット調整重みを更新する。
【０１５５】
（ａ）対象セルｎのＯｃ（ｓ，ｎ）の調整方向が現在値よりも大きくするである場合、対象ペアセルｐのオフセット調整重みに対して「ｋ１×（ｗ４×（対象セルｎを「Target Cell」且つ対象ペアセルｐを「Reconnection Cell」とした「HO to Wrong Cell」発生回数）＋ｂ４）」を加える。
【０１５６】
ステップＳ８０８：ハンドオーバ失敗低減処理部１１は、隣接セルリスト内に未選択の対象ペアセル候補が残っているかを判断する。この結果、隣接セルリスト内に未選択の対象ペアセル候補が残っている場合にステップＳ８０４に戻る。隣接セルリスト内に未選択の対象ペアセル候補が残っていない場合にはステップＳ８０９に進む。
【０１５７】
ステップＳ８０９：ハンドオーバ失敗低減処理部１１は、ハンドオーバ失敗低減対象リスト内に未選択の隣接セルが残っているかを判断する。この結果、ハンドオーバ失敗低減対象リスト内に未選択の隣接セルが残っている場合にステップＳ８０１に戻る。ハンドオーバ失敗低減対象リスト内に未選択の隣接セルが残っていない場合には図１０の処理を終了する。
【０１５８】
なお、実施例１又は２に対して、オフセット調整重みの計算式である式（２）において、ｗ４＝０、ｂ４＝０、とする変形を行うだけでも、隣接セルｎを「Target Cell」とした「HO to Wrong Cell」を優先して低減させるという効果が得られる。
【０１５９】
上述したように本実施形態によれば、ハンドオーバパラメータの調整方向が相反するハンドオーバ失敗事象（第１のハンドオーバ失敗事象、第２のハンドオーバ失敗事象）に対して総合的に低減を図ることができる。これにより、ハンドオーバパラメータ調整の安定性が向上するという効果が得られる。又、ピンポン・ハンドオーバに対しても低減を図ることができる。
【０１６０】
以上、本発明の実施形態について図面を参照して詳述してきたが、具体的な構成はこの実施形態に限られるものではなく、本発明の要旨を逸脱しない範囲の設計変更等も含まれる。
例えば、上述の実施形態では、ＬＴＥシステムを例に挙げて説明したが、他のセルラシステムにも適用可能である。
【０１６１】
又、各実施例における各ステップを実現するためのプログラムをコンピュータ読み取り可能な記録媒体に記録して、この記録媒体に記録されたプログラムをコンピュータシステムに読み込ませ、実行することにより、ハンドオーバパラメータ調整処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【０１６２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１６３】
１…基地局、２…移動端末、１０…ハンドオーバパラメータ調整装置、１１…ハンドオーバ失敗低減処理部、１２…ピンポンハンドオーバ低減処理部、１３…制御部、１１０、１２０及び１３０…セル
【図１】
0005277261.tif 000004
【図２】
0005277261.tif 000005
【図３】
0005277261.tif 000006
【図４】
0005277261.tif 000007
【図５】
0005277261.tif 000008
【図６】
0005277261.tif 000009
【図７】
0005277261.tif 000010
【図８】
0005277261.tif 000011
【図９】
0005277261.tif 000012
【図１０】
0005277261.tif 000013